(57)【要約】【課題】  電線保護チューブのエッジ部から枝線を保護しつつも枝線を作業性良く引き出すことができ、枝線の電線保護チューブにおける引き出し位置を容易に確定でき、更には電線保護チューブ内から引き出された枝線の端部のコネクタを電線保護チューブ上の所定の位置に容易に位置決めできる電線保護チューブ用電線引き出し部材を提供すること。【解決手段】  電線引き出し部材４０は、コルゲートチューブ７０のチューブ本体７１のエッジ部に枝線７３が接触することなく当該枝線７３が挿通される電線挿通部１５を備えている。また、電線引き出し部材４０は、コルゲートチューブ７０に装着された際、コルゲートチューブ７０の内部で当該コルゲートチューブ７０の内周面と係合される係合部を更に備えている。また、電線引き出し部材４０は、枝線７３を被いながらコネクタ７６を固定する被覆部４１を更に備えている。【選択図】      図８
2005251467.tif 000002
【特許請求の範囲】
【請求項１】
チューブ本体および当該チューブ本体の長手方向に沿って形成されたスリットを有する電線保護チューブに収容されたワイヤハーネスの幹線から分岐する枝線を前記スリットを通じて前記チューブ本体の外部に引き出すため、前記スリットを画成する前記チューブ本体のエッジ部に介在するように前記電線保護チューブに装着され、
前記チューブ本体のエッジ部に前記枝線が接触することなく当該枝線が挿通される電線挿通部を備えていることを特徴とする電線保護チューブ用電線引き出し部材。
【請求項２】
前記電線挿通部から前記枝線が抜け出ることを防止するための抜け止め突起が前記電線挿通部に形成されていることを特徴とする請求項１に記載した電線保護チューブ用電線引き出し部材。
【請求項３】
前記電線保護チューブがコルゲートチューブであり、
前記電線保護チューブに装着された際、前記電線保護チューブの内部で当該電線保護チューブの内周面と係合される係合部を更に備えていることを特徴とする請求項１または請求項２に記載した電線保護チューブ用電線引き出し部材。
【請求項４】
前記電線保護チューブから引き出される前記枝線は端部にコネクタが取り付けられており、
前記枝線を被いながら前記コネクタを固定する被覆部を更に備えていることを特徴とする請求項１〜請求項３のいずれか一項に記載した電線保護チューブ用電線引き出し部材。
【請求項５】
前記電線挿通部が、前記枝線を前記幹線の軸方向に整列可能であることを特徴とする請求項１〜請求項４のいずれか一項に記載した電線保護チューブ用電線引き出し部材。
【発明の詳細な説明】
【技術分野】
【０００１】
本発明は、電線保護チューブ用電線引き出し部材に関し、より詳細には、チューブ本体および当該チューブ本体の長手方向に沿って形成されたスリットを有する電線保護チューブに収容されたワイヤハーネスの幹線から分岐する枝線を前記スリットを通じて前記チューブ本体の外部に保護しながら引き出すために用いられる電線引き出し部材に関する。
【背景技術】
【０００２】
電線保護チューブに収容されたワイヤハーネスの幹線から分岐され且つ電線保護チューブから引き出された枝線を保護する構造を図１１に示す。
【０００３】
図１１に示すように、ワイヤハーネス８０の幹線８１が、電線保護チューブ（コルゲートチューブ）８２内に収容されており、幹線８１から分岐した枝線（不図示）が電線保護チューブ８２のスリット（切込）８３から引き出され、その枝線の端部にコネクタ８４が取り付けられている。この枝線には枝線保護チューブ８５が覆い被さるように装着されており、枝線保護チューブ８５のコネクタ８４側の一端部８６が、コネクタ８４に粘着テープ８７によってテープ巻きされ、枝線保護チューブ８５の電線保護チューブ８２側の他端部８８が、電線保護チューブ８２内に挿入されている。（例えば、特許文献１参照）
【特許文献１】特開平０７−２５０４１４号公報（第３−４頁、図１）
【発明の開示】
【発明が解決しようとする課題】
【０００４】
前述した構造では、枝線保護チューブ８５によって、枝線を電線保護チューブ８２のスリット８３を画成するエッジ部に接触させないようにして、枝線の損傷を防ぐことができるものの、長い枝線を同じく長い枝線保護チューブ８５に挿通する作業を強いられるため、作業性が悪い。また、枝線を枝線保護チューブ８５に挿通した後に枝線の端部にコネクタ８４を取り付けねばならないため、コネクタ８４の枝線への組付け作業の順番も制限されてしまう。
【０００５】
また、枝線は、枝線保護チューブ８５に覆われながら電線保護チューブ８２のスリット８３から単に引き出されているだけなので、電線保護チューブ８２に対する固定手段が無く、枝線の電線保護チューブ８２における引き出し位置が確定されない。そのため枝線を電線保護チューブ８２上の所定の引き出し位置に配置する作業が煩雑であり、作業性が悪い。
【０００６】
その上、コネクタ８４は、電線保護チューブ８２のスリット８３から単に引き出されている枝線の端部に取り付けられているので、コネクタ８４の位置が確定されない。つまり、コネクタ８４が、電線保護チューブ８２上でふらつくため、ワイヤハーネス８０の配策において、固定された相手側コネクタに対する位置決めに長い時間を要することとなり、作業性が悪い。
【０００７】
本発明は、上述した事情に鑑みてなされたものであり、その目的は、電線保護チューブのエッジ部から枝線を保護しつつも枝線を作業性良く引き出すことができる電線保護チューブ用電線引き出し部材を提供することにある。また、本発明の他の目的は、枝線の電線保護チューブにおける引き出し位置を容易に確定でき、これにより作業性の向上を図ることができる電線保護チューブ用電線引き出し部材を提供することにある。また、本発明の他の目的は、電線保護チューブ内から引き出された枝線の端部のコネクタを電線保護チューブ上の所定の位置に容易に位置決めでき、これによりワイヤハーネスの配索に係る作業性の向上を図ることができる電線保護チューブ用電線引き出し部材を提供することにある。
【課題を解決するための手段】
【０００８】
前述した目的を達成するため、本発明に係る電線保護チューブ用電線引き出し部材は、下記（１）〜（５）を特徴としている。
（１）チューブ本体および当該チューブ本体の長手方向に沿って形成されたスリットを有する電線保護チューブに収容されたワイヤハーネスの幹線から分岐する枝線を前記スリットを通じて前記チューブ本体の外部に引き出すため、前記スリットを画成する前記チューブ本体のエッジ部に介在するように前記電線保護チューブに装着され、
前記チューブ本体のエッジ部に前記枝線が接触することなく当該枝線が挿通される電線挿通部を備えていること。
（２）前記電線挿通部から前記枝線が抜け出ることを防止するための抜け止め突起が前記電線挿通部に形成されていること。
（３）前記電線保護チューブがコルゲートチューブであり、
前記電線保護チューブに装着された際、前記電線保護チューブの内部で当該電線保護チューブの内周面と係合される係合部を更に備えていること。
（４）前記電線保護チューブから引き出される前記枝線は端部にコネクタが取り付けられており、
電線保護チューブ用電線引き出し部材が前記枝線を被いながら前記コネクタを固定する被覆部を更に備えていること。
（５）前記電線挿通部が、前記枝線を前記幹線の軸方向に整列可能であること。
【０００９】
上記（１）に記載の電線保護チューブ用電線引き出し部材によれば、枝線が、電線引き出し部材の電線挿通部に挿通されることによって、電線保護チューブのスリットを画成するチューブ本体のエッジ部に接触せずに電線保護チューブのスリットから引き出される。よって、長い枝線を同じく長い枝線保護チューブに挿通する作業を強いられることなく、電線保護チューブのエッジ部から枝線を保護しつつも枝線を作業性良く引き出すことができる。尚、枝線を当該枝線の軸方向と交差する方向から挿入できる開口部を有する例えば断面視コ字形（後述する実施形態を参照。）、断面視Ｖ字形、等の電線挿通部を有する形態の電線保護チューブ用電線引き出し部材とすれば、枝線の端部へのコネクタの取り付けは枝線の電線挿通部への挿通作業の前後どちらでも行なえ、コネクタの枝線への組付け作業の順番が制限されないので好ましい。
上記（２）に記載の電線保護チューブ用電線引き出し部材によれば、電線引き出し部材の電線挿通部に挿通されている枝線が電線挿通部から抜け出ることが抜け止め突起により確実に阻止され、電線保護チューブのエッジ部に対する枝線の保護を確実にできる。尚、抜け止め突起は、枝線を当該枝線の軸方向と交差する方向から挿入できる開口部を有する例えば断面視コ字形（後述する実施形態を参照。）、断面視Ｖ字形、等の電線挿通部を用いた場合に、当該電線挿通部の特に開口部に形成すると効果的である。
上記（３）に記載の電線保護チューブ用電線引き出し部材によれば、電線保護チューブの内部で電線引き出し部材の係合部が電線保護チューブのコルゲート状の内周面と係合されることにより、電線保護チューブ用電線引き出し部材が電線保護チューブの長手方向に位置ずれしないように組付けられる。従って、枝線の電線保護チューブにおける引き出し位置を容易に確定でき、これにより作業性の向上を図ることができる。
上記（４）に記載の電線保護チューブ用電線引き出し部材によれば、枝線の端部に取り付けられたコネクタを固定する被覆部を備えているので、電線保護チューブ用電線引き出し部材を介してコネクタを電線保護チューブ上の所定位置に確実に位置決めすることができ、これによりワイヤハーネスの配索に係る作業性の向上を図ることができる。その上、枝線のコネクタ近傍にある電線部が被覆部により外部に露出しないように被われるので、当該電線部が外部の機器に接触したり、絡まったりせず、枝線全体を保護することができる。
上記（５）に記載の電線保護チューブ用電線引き出し部材によれば、電線挿通部内で枝線が幹線の軸方向に絡まりやほつれを生ずることなく整列配置される。
【発明の効果】
【００１０】
本発明の電線保護チューブ用電線引き出し部材によれば、電線保護チューブのエッジ部から枝線を保護しつつも枝線を作業性良く引き出すことができる。また、本発明の電線保護チューブ用電線引き出し部材によれば、枝線の電線保護チューブにおける引き出し位置を容易に確定でき、これにより作業性の向上を図ることができる。また、本発明の電線保護チューブ用電線引き出し部材によれば、電線保護チューブ内から引き出された枝線の端部のコネクタを電線保護チューブ上の所定の位置に容易に位置決めでき、これによりワイヤハーネスの配索に係る作業性の向上を図ることができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る複数の実施形態を図面に基づいて詳細に説明する。
【００１３】
図１は本発明に係る電線保護チューブ用電線引き出し部材の第１実施形態の外観斜視図、図２は図１に示す電線保護チューブ用電線引き出し部材の電線保護チューブへの組付け手順（第１行程）を説明するための外観斜視図、図３は図１に示す電線保護チューブ用電線引き出し部材の電線保護チューブへの組付け手順（第２行程）を説明するための外観斜視図、図４は第１実施形態の変形例の外観斜視図、そして図５は第１実施形態の他の変形例の外観斜視図である。
【００１４】
また、図６は本発明に係る電線保護チューブ用電線引き出し部材の第２実施形態の外観斜視図、図７は図６に示す電線保護チューブ用電線引き出し部材の電線保護チューブへの組付け手順（第１行程）を説明するための外観斜視図、図８は図６に示す電線保護チューブ用電線引き出し部材の電線保護チューブへの組付け手順（第２行程）を説明するための外観斜視図、図９は第２実施形態の変形例の外観斜視図、そして図１０は第２実施形態の他の変形例の外観斜視図である。
【００１５】
（第１実施形態）
図１に示すように、本発明の第１実施形態である電線保護チューブ用電線引き出し部材（以下、単に『電線引き出し部材』とも称する。）１０は、一対の基板部１１，１１と、一対の首板部１２，１２と、一対の肩板部１３，１３と、連結板１４と、を備えており、基板部１１，１１の内側の端部、首板部１２，１２、肩板部１３，１３、および連結板１４により横断面視コ字形の電線挿通部１５が形成されている。
【００１６】
基板部１１，１１は、比較的薄い四角形の板状に形成されており、所定の間隔Ｌ１を置いて平行に配置されている。基板部１１，１１は、電線引き出し部材１０が、電線保護チューブであるコルゲートチューブ７０（図２参照）に装着された際に、コルゲートチューブ７０のチューブ本体７１の上に配置される。
【００１７】
首板部１２，１２は、基板部１１，１１と同様に薄い四角形の板状に形成されており、基板部１１，１１の内側の端部から下方に向けてそれぞれ延出されている。首板部１２，１２は、電線引き出し部材１０がコルゲートチューブ７０に装着された際に、コルゲートチューブ７０の長手方向に沿ってチューブ本体７１のエッジ部により画成（形成）されたスリット７２内に配置される。
【００１８】
肩板部１３，１３は、基板部１１，１１ならびに首板部１２，１２と同様に薄い四角形の板状に形成されており、首板部１２，１２の下側の端部から側方に向けてそれぞれ湾曲状に延出されている。肩板部１３，１３は、電線引き出し部材１０がコルゲートチューブ７０に装着された際に、コルゲートチューブ７０の内部に配置されるため、コルゲートチューブ７０の内周面に当接するようにコルゲートチューブ７０の内周面に合わせて湾曲している。
【００１９】
連結板１４は、基板部１１，１１のそれぞれの後方側端部と、首板部１２，１２のそれぞれの後方側端部を繋ぐように配置されている。連結板１４は、電線引き出し部材１０がコルゲートチューブ７０に装着された際に、コルゲートチューブ７０上に配置される。
【００２０】
このように連結板１４と基板部１１，１１とはコ字形に形成されている。連結板１４は、基板部１１，１１に代えて、首板部１２，１２のそれぞれの後方側の端部のみに、或いは肩板部１３，１３のそれぞれの後方側の端部のみに結合されていてもよい。
【００２１】
電線挿通部１５にはコルゲートチューブ７０のスリット７２と平行な空間が形成される。電線挿通部１５は、電線引き出し部材１０がコルゲートチューブ７０に装着された際に、ワイヤハーネスの各枝線７３（図２参照）の電線部７４をコルゲートチューブ７０に接触させないように隔離する。
【００２２】
ここで、電線挿通部１５の空間の幅は、首板部１２，１２それぞれの内側面の間隔、つまり、基板部１１，１１の間隔Ｌ１であり、この間隔Ｌ１は、各枝線７３の電線部７４の外径よりも僅かに大きい。よって、電線挿通部１５は、枝線７３が挿通した際に、各枝線７３の電線部７４を１本ずつワイヤハーネスの幹線７５（図２参照）の軸方向にそれぞれ整列させて配置することができる。
【００２３】
電線引き出し部材１０は、基板部１１，１１と、首板部１２，１２と、肩板部１３，１３と、連結板１４と、から略コ字形状に一体に形成されている。そのため、電線引き出し部材１０の連結板１４と反対側が開口部１６になっている。電線引き出し部材１０は、成形が極めて容易であり、少ない材料によって大量生産を行なうことができる。また、電線引き出し部材１０は、一方の基板部１１と、一方の首板部１２と、一方の肩板部１３と、が縦断面視コ字形状をなし、他方の基板部１１と、他方の首板部１２と、他方の肩板部１３と、が縦断面視反コ字形状をなすため、コルゲートチューブ７０のスリット７２を画成するチューブ本体７１のエッジ部に介在するよう装着された際、基板部１１，１１と肩板部１３，１３とがチューブ本体７１を挟持することにより抜け止めが為される。
【００２４】
次に、図２および図３を参照して、電線引き出し部材１０のコルゲートチューブ７０への組付け手順について説明する。
【００２５】
図２に示すように、電線引き出し部材１０が用いられるワイヤハーネスは、幹線７５がコルゲートチューブ７０に挿通されており、幹線７５の所定の分岐部から、４本の複数の枝線７３，７３，７３，７３が、コルゲートチューブ７０の軸方向に形成されたスリット７２を通じて外側に引き出されている。各枝線７３は、各電線部７４の先端部にコネクタ７６に収容された金属端子（不図示）がそれぞれ固定されている。
【００２６】
ここで、コルゲートチューブ７０は、例えば、難燃性を備えたポリプロピレン、ポリエチレン、或いは耐熱性６ナイロン、等を適宜成型を行ないコルゲート状の中空チューブとしたものである。コルゲートチューブ７０は、内部にワイヤハーネスを挿通して用いることにより、ワイヤハーネスが外部の物体に直接接触しないように、また外部の熱を直接受けたりしないように、保護する。
【００２７】
図２に示すように、組付けは、まず、電線引き出し部材１０をコルゲートチューブ７０のスリット７２内に挿入する（このとき、枝線７３の電線部７４は、スリット７２内において整列されていない）。具体的に、スリット７２の幅を僅かに大きくするように拡げながら、電線引き出し部材１０の連結板１４と反対側にある開口部１６を先にして、電線引き出し部材１０をコネクタ７６の相手側コネクタ（不図示）との嵌合部側からコネクタ７６とコルゲートチューブ７０との間に進めて行く。また、このようにせず、スリット７２の幅を僅かに大きくするように拡げながら、電線引き出し部材１０の連結板１４と反対側にある開口部１６を先にして、電線引き出し部材１０をコネクタ７６の枝線７３が引き出されている側からコネクタ７６とコルゲートチューブ７０との間に進めて行くようにしてもよい。
【００２８】
そして図３に示すように、電線挿通部１５内に枝線７３の電線部７４を挿通させながら、各肩板部１３，１３をコルゲートチューブ７０内に挿入することによって電線引き出し部材１０がコルゲートチューブ７０に装着される。電線挿通部１５内に４本の電線部７４が挿通されることにより、各電線部７４がチューブ本体７１のエッジ部に接触しない。このとき、電線挿通部１５内に挿通された電線部７４は、電線挿通部１５内の空間が幹線７５の軸方向に延設されていて、その幅が単一の電線部７４の外径よりも僅かに大きいだけであるために、１本ずつ幹線７５の軸方向に整列される。
【００２９】
上述したように、電線引き出し部材１０によれば、枝線７３が、電線引き出し部材１０の電線挿通部１５に挿通されることによって、コルゲートチューブ７０のスリット７２を画成するチューブ本体７１のエッジ部に接触せずにコルゲートチューブ７０のスリット７２から引き出される。よって、長い枝線７３を同じく長い枝線保護チューブに挿通する作業を強いられることなく、コルゲートチューブ７０のエッジ部から枝線７３を保護しつつも枝線７３を作業性良く引き出すことができる。また、電線引き出し部材１０によれば、電線挿通部１５内で枝線７３が幹線７５の軸方向に整列配置されるので、枝線７３の絡まりやほつれを生ずることがない。
【００３０】
尚、本発明に係る電線引き出し部材は横断面視ロ字形の電線挿通部を有するものでもよいが、枝線７３を当該枝線７３の軸方向と交差する方向から挿入できる開口部１６を有する上述した横断面視コ字形の電線挿通部１５や例えば断面視Ｖ字形等の電線挿通部（不図示）を有する形態の電線引き出し部材であれば、枝線７３の先端部へのコネクタ７６の取り付けは枝線７３の電線挿通部への挿通作業の前後どちらでも行なえ、コネクタ７６の枝線７３への組付け作業の順番が制限されないので好ましい。また、枝線７３は、その先端部にコネクタ７６のハウジング無く金属端子が取り付けられた状態または取り付けられていない状態のどちらのものでも電線挿通部１５への挿通が行なえる。
【００３１】
次に、図４を参照して、第１実施形態の変形例について説明する。尚、本変形例以下の各変形例および実施形態において、既に説明した部材等と同様な構成・作用を有する部材等については、図中に同一符号または相当符号を付すことにより、説明を簡略化或いは省略する。
【００３２】
図４に示すように、上述した第１実施形態の第１変形例である電線引き出し部材２０は、電線挿通部１５内に適宜な弾性を有する抜け止め突起２１，２１が更に形成されている。
【００３３】
抜け止め突起２１，２１は、首板部１２，１２の開口部１６側の内面の中央部にそれぞれ配置されており、電線挿通部１５の軸心に向けてそれぞれ突出形成されている。抜け止め突起２１，２１は、先端同士の間隔が枝線７３の外径よりも小さいか若しくは接触しているため、枝線７３が電線挿通部１５の開口部１６から抜け出ることを防止する。よって、コルゲートチューブ７０のエッジ部に対する枝線７３の保護を確実にできる。
【００３４】
電線引き出し部材２０の他の作用や効果については第１実施形態（電線引き出し部材１０）の上記説明から類推可能であるため説明を省略する。
【００３５】
次に、図５を参照して、第１実施形態の他の変形例について説明する。図５に示すように、上述した第１実施形態の第２変形例である電線引き出し部材３０は、コルゲートチューブ７０（図２参照）に装着された際にコルゲートチューブ７０の内部でコルゲートチューブ７０の内周面と係合する係合部３１，３１を肩板部１３，１３に備えている。
【００３６】
係合部３１，３１は、肩板部１３，１３の上面に長手方向に交互に連続して形成された凹部３２と平面部３３とからなる。凹部３２と平面部３３は、コルゲートチューブ７０のコルゲート状の内周面に対応している。電線引き出し部材３０は、係合部３１，３１を備えているため、コルゲートチューブ７０の長手方向に位置ずれしないように組付けられる。従って、枝線７３のコルゲートチューブ７０における引き出し位置を容易に確定でき、これにより作業性の向上を図ることができる。
【００３７】
電線引き出し部材３０の他の作用や効果については第１実施形態（電線引き出し部材１０）の上記説明から類推可能であるため説明を省略する。
【００３８】
（第２実施形態）
次に、図６を参照して、本発明に係る電線保護チューブ用電線引き出し部材の第２実施形態について説明する。
【００３９】
図６に示すように、第２実施形態の電線保護チューブ用電線引き出し部材４０は、基板部１１，１１上に、被覆部４１が形成されている。
【００４０】
被覆部４１は、箱状に形成されており、基板部１１，１１の外側の端部から上方に向けてそれぞれ延出された側板４２，４２と、側板４２，４２の上端部に配置された天板４３と、側板４２，４２の後端部と天板４３の後端部とに繋げられた後板４４（図７参照）と、を備え、後板４４の反対側が開口部４５になっている。
【００４１】
側板４２，４２には、開口部４５側に孔４６，４６が形成されている。孔４６，４６とコネクタ７６（図７参照）の側面に形成された係止突起７７，７７とが係合することによって、コネクタ７６が電線引き出し部材４０に固定される。被覆部４１は、孔４６，４６がコネクタ７６の係止突起７７，７７と係合する際、コネクタ７６に接続されている枝線７３を覆う。
【００４２】
このように被覆部４１にはコネクタ７６が固定されるため、コネクタ７６をコルゲートチューブ７０の上の所定位置に位置決めすることができる。
【００４３】
次に、図７および図８を参照して、電線引き出し部材４０のコルゲートチューブ７０への組付け手順について説明する。
【００４４】
図７に示すように、まず、電線引き出し部材４０をコルゲートチューブ７０のスリット７２内に挿入する（このとき、枝線７３の電線部７４は、スリット７２内において整列されていない）。具体的に、スリット７２の幅を僅かに大きくするように拡げながら、開口部４５を先にして電線引き出し部材４０をコネクタ７６の枝線７３が引き出されている側からコネクタ７６とコルゲートチューブ７０との間に進めて行く。
【００４５】
そして図８に示すように、電線挿通部１５内に枝線７３の電線部７４を挿通させながら各肩板部１３，１３をコルゲートチューブ７０内に挿入して行くと同時に側板４２，４２の孔４６，４６とコネクタ７６の係止突起７７，７７とを係合させることによって、電線引き出し部材４０がコルゲートチューブ７０に装着されるとともに、被覆部４１によって枝線７３が覆われ且つコネクタ７６がコルゲートチューブ７０上で固定される。
【００４６】
上述したように、電線引き出し部材４０によれば、コネクタ７６をコルゲートチューブ７０上の所定位置に確実に位置決めすることができ、これによりワイヤハーネスの配索に係る作業性の向上を図ることができる。その上、枝線７３のコネクタ７６近傍にある電線部７４が被覆部４１により外部に露出しないように被われるので、当該電線部７４が外部の機器に接触したり、絡まったりせず、枝線７３全体を保護することができる。
【００４７】
電線引き出し部材４０の他の作用や効果については第１実施形態（電線引き出し部材１０）の上記説明から類推可能であるため説明を省略する。
【００４８】
次に、図９を参照して、第２実施形態の変形例について説明する。図９に示すように、第２実施形態の第１変形例である電線引き出し部材５０は、第１実施形態の第１変形例である電線引き出し部材２０と同様に、電線引き出し部材４０の電線挿通部１５内に抜け止め突起５１，５１を更に形成したものである。この電線引き出し部材５０の作用や効果については第１実施形態（電線引き出し部材１０）、その第１変形例（電線引き出し部材２０）、および第２実施形態（電線引き出し部材４０）の上記説明から類推可能であるため説明を省略する。
【００４９】
次に、図１０を参照して、第２実施形態の他の変形例について説明する。図１０に示すように、第２実施形態の第２変形例である電線引き出し部材６０は、第１実施形態の第２変形例である電線引き出し部材３０と同様に、肩板部１３，１３に係合部６１，６１を更に形成したものである。この電線引き出し部材６０の作用や効果については第１実施形態（電線引き出し部材１０）、その第２変形例（電線引き出し部材３０）、および第２実施形態（電線引き出し部材４０）の上記説明から類推可能であるため説明を省略する。
【００５０】
なお、本発明は、前述した実施形態に限定されるものではなく、適宜、変形、改良、等が可能である。
【００５１】
例えば、首板部の高さは、適用されるコルゲートチューブの壁厚に応じて変更設定されるのが好ましい。
【００５２】
また、肩板部の湾曲率についても、適用されるコルゲートチューブの内径に応じて選択設定されると好ましい。
【００５３】
また、係合部の形状は、図示した凹部と平面部とを交互に連続して形成したものに代えて、平面部と凸部とを連続的に形成したものでもよい。
【００５４】
また、電線引き出し部材を装着したコルゲートチューブには、電線引き出し部材の両側に粘着テープによるテープ巻きを施すのが好ましい。
【図面の簡単な説明】
【００５５】
【図１】本発明に係る電線保護チューブ用電線引き出し部材の第１実施形態の外観斜視図である。
【図２】図１に示した電線保護チューブ用電線引き出し部材の電線保護チューブへの組付け手順（第１行程）を説明するための外観斜視図である。
【図３】図１に示した電線保護チューブ用電線引き出し部材の電線保護チューブへの組付け手順（第２行程）を説明するための外観斜視図である。
【図４】第１実施形態の変形例の外観斜視図である。
【図５】第１実施形態の他の変形例の外観斜視図である。
【図６】本発明に係る電線保護チューブ用電線引き出し部材の第２実施形態の外観斜視図である。
【図７】図６に示した電線保護チューブ用電線引き出し部材の電線保護チューブへの組付け手順（第１行程）を説明するための外観斜視図である。
【図８】図６に示した電線保護チューブ用電線引き出し部材の電線保護チューブへの組付け手順（第２行程）を説明するための外観斜視図である。
【図９】第２実施形態の変形例の外観斜視図である。
【図１０】第２実施形態の他の変形例の外観斜視図である。
【図１１】従来の構造の外観図である。
【符号の説明】
【００５６】
１０，２０，３０，４０，５０，６０  電線保護チューブ用電線引き出し部材
１５                                電線挿通部
２１，５１                          抜け止め突起
３１，６１                          係合部
４１                                被覆部
７０                                コルゲートチューブ（電線保護チューブ）
７１                                チューブ本体
７２                                スリット
７３                                枝線
７４                                電線部
７５                                幹線
７６                                コネクタ
【図１】
2005251467.tif 000003
【図２】
2005251467.tif 000004
【図３】
2005251467.tif 000005
【図４】
2005251467.tif 000006
【図５】
2005251467.tif 000007
【図６】
2005251467.tif 000008
【図７】
2005251467.tif 000009
【図８】
2005251467.tif 000010
【図９】
2005251467.tif 000011
【図１０】
2005251467.tif 000012
【図１１】
2005251467.tif 000013